【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】  （ａ）カチオン及びアニオンを有する安定化コロイド状粒子、並びに（ｂ）溶解した遊離種を含む分散体の純化方法であって、
（ａ）約１μｍ超の粒度の粒子を実質的に除去する工程、
（ｂ）前記遊離種を実質的に除去する工程、及び
（ｃ）前記イオン安定化コロイド状粒子の一部を成す前記対イオンの少なくとも一部を、他の対イオンで交換する工程、を任意の順序で含む、分散体の純化方法。
【請求項２】  約０．５μｍ超の粒度の粒子を、工程（ａ）で実質的に除去する、請求項１に記載の方法。
【請求項３】  遠心分離によって工程（ａ）を行う、請求項１に記載の方法。
【請求項４】  前記遠心分離を、少なくとも約５，０００Ｇの遠心力で行う、請求項３に記載の方法。
【請求項５】  前記遠心分離を、少なくとも約１５，０００Ｇの遠心力で行う、請求項３に記載の方法。
【請求項６】  前記遠心分離を、約１５，０００〜約２０，０００Ｇの遠心力で行う、請求項３に記載の方法。
【請求項７】  前記遠心分離が、ソリッドボウル遠心分離である、請求項３に記載の方法。
【請求項８】  前記遠心分離が、管状ボウル遠心分離である、請求項３に記載の方法。
【請求項９】  工程（ｂ）及び（ｃ）の前に、工程（ａ）を行う、請求項１に記載の方法。
【請求項１０】  工程（ｂ）又は（ｃ）の後で、工程（ａ）を行う、請求項１に記載の方法。
【請求項１１】  工程（ａ）、工程（ｂ）、又は工程（ｃ）を、１又は複数回反復することができる、請求項１に記載の方法。
【請求項１２】  前記遠心分離を半連続供給速度で行う、請求項３に記載の方法。
【請求項１３】  前記供給速度が約５００ｍｌ／分〜約１０リットル／分である、請求項１２に記載の方法。
【請求項１４】  前記遠心分離を周囲温度で行う、請求項３に記載の方法。
【請求項１５】  前記遠心分離が再循環浴を含む、請求項３に記載の方法。
【請求項１６】  前記遠心分離の間の前記分散体の粘度が、約１ｃＰ〜約８ｃＰである、請求項３に記載の方法。
【請求項１７】  工程（ａ）をろ過によって行う、請求項１に記載の方法。
【請求項１８】  前記ろ過が、気孔サイズが約０．１μｍ〜約１００μｍの１又は複数のフィルターを使用する、請求項１７に記載の方法。
【請求項１９】  前記ろ過の流量が、約０．１４リットル／ｍ２ｓ／分〜約０．４７リットル／ｍ２ｓ／分である、請求項１７に記載の方法。
【請求項２０】  工程（ｂ）を、膜を用いるフィルターろ過又は限外ろ過によって行う、請求項１に記載の方法。
【請求項２１】  前記膜の分子量分離値が少なくとも１０，０００である、請求項２０に記載の方法。
【請求項２２】  前記膜の分子量分離値が約１０，０００〜約５０，０００である、請求項２１に記載の方法。
【請求項２３】  前記膜の流路サイズが約０．５ｍｍ〜約１．５ｍｍである、請求項２０に記載の方法。
【請求項２４】  前記膜の透過流束が少なくとも約２４．５ｍｌ／ｃｍ２／ｄａｙ（約５ｇａｌ／ｆｔ２／ｄａｙ）である、請求項２に記載の方法。
【請求項２５】  前記膜の透過流束が約２４．５〜約１４６．８ｍｌ／ｃｍ２／ｄａｙ（約５〜約３０ｇａｌ／ｆｔ２／ｄａｙ）である、請求項２４に記載の方法。
【請求項２６】  １又は複数回の通過で前記遊離イオン種を実質的に除去するのに十分な表面積を、前記膜が有する、請求項２０に記載の方法。
【請求項２７】  前記限外ろ過又はフィルターろ過が、交差流膜分離である、請求項２０に記載の方法。
【請求項２８】  工程（ｂ）を電気透析によって行う、請求項１に記載の方法。
【請求項２９】  前記電気透析が変形電気透析である、請求項２８に記載の方法。
【請求項３０】  工程（ｂ）をイオン交換によって行う、請求項１に記載の方法。
【請求項３１】  前記イオン交換が、ＯＨ−樹脂によるアニオン交換、及びＨ＋、Ｋ＋又はＮＨ４＋樹脂によるカチオン交換を含む、請求項３０に記載の方法。
【請求項３２】  前記カチオン交換の前に、前記アニオン交換を行う、請求項３１に記載の方法。
【請求項３３】  前記ＯＨ−樹脂及び前記Ｈ＋又はＫ＋樹脂の大きさが約５００μｍであり、約２ｍｅｑ／ｍｌの量で存在する、請求項３１に記載の方法。
【請求項３４】  アニオン交換がＯＨ−樹脂を用い、且つカチオン交換がＨ＋、Ｋ＋又はＮＨ４＋樹脂を用い、且つ、前記アニオン及びカチオン交換を同時に行う、請求項３１に記載の方法。
【請求項３５】  前記コロイド状粒子が顔料である、請求項１に記載の方法。
【請求項３６】  前記顔料がカーボン顔料である、請求項３５に記載の方法。
【請求項３７】  前記カーボン顔料が、カーボンブラック、グラファイト、ガラス質カーボン、活性炭、活性化カーボン、又はそれらの混合物である、請求項３６に記載の方法。
【請求項３８】  前記カーボンブラックに、前記イオン性種を有する有機基が結合している、請求項３７に記載の方法。
【請求項３９】  前記有機基が、前記カーボンブラックに直接に結合した芳香族基を有する、請求項３８に記載の方法。
【請求項４０】  前記有機基が、−Ｃ６Ｈ４−ＣＯＯ−Ｘ＋；−Ｃ６Ｈ４−ＳＯ３−Ｘ＋；−Ｃ６Ｈ４−（ＣＯＯ−Ｘ＋）３；−Ｃ６Ｈ４−（ＣＯＯ−Ｘ＋）２；−Ｃ６Ｈ４−（ＣＦ３）２；−Ｃ６Ｈ４−（ＣＦ３）；−（ＣＨ２）ｚ−（ＣＯＯ−Ｘ＋）；−Ｃ６Ｈ４−（ＣＨ２）ｚ−（ＣＯＯ−Ｘ＋）（ｘはＮａ＋、Ｈ＋、Ｋ＋、ＮＨ４＋、Ｌｉ＋、Ｃａ２＋、Ｍｇ２＋からなる群より選択されるカチオン、ｚは１〜１８の整数）；−Ｃ６Ｈ４−（ＮＣ５Ｈ５）＋Ｙ−（ＹはＮＯ３−、ＯＨ−、ＣＨ３ＣＯＯ−からなる群より選択されるアニオン）；又はそれらの組み合わせである、請求項３９に記載の方法。
【請求項４１】  前記対イオンがＮａ＋であり、且つ前記他の対イオンがＮＨ４＋である、請求項１に記載の方法。
【請求項４２】  前記溶液が水溶液である、請求項１に記載の方法。
【請求項４３】  工程（ｃ）をイオン交換プロセスによって行う、請求項１に記載の方法。
【請求項４４】  工程（ｃ）を、変形３区画電気透析プロセスによって行う、請求項１に記載の方法。
【請求項４５】  （ａ）カチオン及びアニオンを有する安定化コロイド状粒子、並びに（ｂ）溶解した遊離種を含むインク分散体の純化及び分級方法であって、
（ａ）膜を用いるフィルターろ過又は限外ろ過によって、前記遊離種を実質的に除去する工程、
（ｂ）遠心分離によって、約０．５μｍよりも大きい粒度の粒子を実質的に除去する工程、
を含む、インク分散体の純化及び分級方法。
【請求項４６】  前記イオン安定化コロイド状粒子の一部を成す前記対イオンの少なくとも一部を、他の対イオンで交換する更なる工程を、前記分散体に行う、請求項４５に記載の方法。
【請求項４７】  前記分散体中の約１μｍ超の粒度の粒子の実質的に全てを、工程（ａ）の前に除去する、請求項４５に記載の方法。
【請求項４８】  遠心分離によって前記粒子を除去する、請求項４７に記載の方法。
【請求項４９】  前記コロイド状粒子が顔料である、請求項４５に記載の方法。
【請求項５０】  前記顔料がカーボンブラックである、請求項４９に記載の方法。
【請求項５１】  前記カーボンブラックに、前記イオン性種を有する有機基が結合している、請求項５０に記載の方法。
【請求項５２】  前記有機基が、−Ｃ６Ｈ４−ＣＯＯ−Ｘ＋；−Ｃ６Ｈ４−ＳＯ３−Ｘ＋；−Ｃ６Ｈ４−（ＣＯＯ−Ｘ＋）３；−Ｃ６Ｈ４−（ＣＯＯ−Ｘ＋）２；−Ｃ６Ｈ４−（ＣＦ３）２；−Ｃ６Ｈ４−（ＣＦ３）；−（ＣＨ２）ｚ−（ＣＯＯ−Ｘ＋）；−Ｃ６Ｈ４−（ＣＨ２）ｚ−（ＣＯＯ−Ｘ＋）（ｘはＮａ＋、Ｈ＋、Ｋ＋、ＮＨ４＋、Ｌｉ＋、Ｃａ２＋、Ｍｇ２＋からなる群より選択されるカチオン、ｚは１〜１８の整数）；−Ｃ６Ｈ４−（ＮＣ５Ｈ５）＋Ｙ−（ＹはＮＯ３−、ＯＨ−、ＣＨ３ＣＯＯ−からなる群より選択されるアニオン）；又はそれらの組み合わせである、請求項５１に記載の方法。
【請求項５３】  前記対イオンがＮａ＋であり、且つ前記他の対イオンがＮＨ４＋である、請求項４６に記載の方法。